(57)【要約】【課題】  ゴルフの初心者や中級者が犯しやすい、「手打ち」の悪癖が出ない、ゴルフ用スイング矯正具を提供する。【解決手段】  外周面１ｂなどに係合孔１ｄを穿設した取付片１ｅを立設すると共に、一側又は両側端部にはスリット１ｃを形成した硬質板状体１と、前記板状体１のスリット１ｃに取り付けられる、止着具２ｃ付きの巻装帯２と、一端側を、内側に向けて鈎状に屈曲して係止部３ａを形成し、該係止部３ａから他端側にかけて円弧状を形成する棒状ガイド３と、上端部に挿通穴４ａを形成し、下部にはドリルねじ４ｂを螺設した間隔保持具４とからなる。【選択図】図１
2005278830.tif 000002
【特許請求の範囲】
【請求項１】
外周面又は内周面に、係合孔を穿設した取付片を立設し、一側又は両側端部には取付手段を形成した、正面視略矩形状の硬質板状体と、
前記板状体の一側又は両側端部の取付手段を介して取り付けられる、止着具付きの巻装帯と、
一端側を、内側に向けて鈎状に屈曲して係止部を形成し、該係止部から他端側にかけて円弧状を形成する棒状ガイドと、
上端部に挿通穴を形成すると共に、下部には長さ調整手段を設けた間隔保持具と、
からなる、ゴルフ用スイング矯正具。
【請求項２】
前記板状体、取付片、棒状ガイドおよび間隔保持具などの素材が、鉄、アルミニューム又は硬質の合成樹脂材からなることを特徴とする、請求項１記載のゴルフ用スイング矯正具。
【請求項３】
前記板状体は、内周面に沿って緩やかに湾曲していることを特徴とする、請求項１および請求項２記載のゴルフ用スイング矯正具。 
【請求項４】
前記巻装帯の長さは、止着具の変位により自由に設定可能であることを特徴とする、請求項１および請求項３記載のゴルフ用スイング矯正具。
【請求項５】
前記長さ調整手段が、間隔保持具の下部に形成されたドリルねじであるか又は、ゴルフクラブのグリップに被冠する嵌装体であることを特徴とする、請求項１ないし請求項３記載のゴルフ用スイング矯正具。
【請求項６】
前記板状体の外周面中心部に、間隔保持具の上端部方向を示す、目印が表示されていることを特徴とする、請求項１ないし請求項３記載のゴルフ用スイング矯正具。
【発明の詳細な説明】
【技術分野】
【０００１】
本発明は、ゴルフ用スイング矯正具に係り、さらに詳しくは、ゴルフにおける適切なアドレスから、意図する方向性とクラブに適合した飛距離が打ち出せるスイングを、体得するためのゴルフ用スイング矯正具に関する。
【背景技術】
【０００２】
ゴルフは、１８ヶ所に配設されたコースを、ティー又は芝生上などに静止したボールをヒットし、そのボールをできるだけ少ない打数で、各グリーン上に穿設されたホールに入れるスポーツである。      
【０００３】
ゲートボールおよびビリヤード（撞球）などを除いて、静止したボールをヒットするスポーツはあまり例がなく、野球、テニス、卓球、ソフトボール、ホッケーなどは、動くボールをヒットして、得点を競うスポーツであり、プレーヤーはボールの変化、動きなどに適切な姿勢で対処しなければならない。
【０００４】
したがって、上記野球、テニスなど動くボールを扱う各スポーツにあっては、基本的には、一定のバッティングフォーム又はヒッティングフォームなどはなく、ボールに対する構え方、バッティングフォームなどは、プレーヤー各自の選択に任されている。
【０００５】
しかしながら、ゴルフにあっては、静止した直径約４．５ｃｍの小さなボールを、長さが約９０ｃｍ〜約１２０ｃｍの異なるゴルフクラブを使用して、その先端にある打球面（フェース）で常時、正確にヒットするためには、一定のテンポと基本動作（基礎技術）に適ったスイングをしなければならない。
【０００６】
基本動作とは、アドレスからバックスイング、トップオブスイング、ダウンスイング、インパクト、フォロースルーそしてフィニッシュまでの一連の動作であり、肩、腕、手、膝、脚そしてクラブを体（腰部）と共に、一体的に回転させてスイングすることにより、クラブ先端のフェースで正しくボールをとらえ、所望の方向性と飛距離などを出すことが可能となる。
【０００７】
ゴルフの初心者は、この基本動作を習得しなければ、ボールを常時、正確にヒットできないし、またアベレージゴルファーと称される中級者も、ゴルフコースをラウンド中に、疲労や集中力の欠如などにより基本動作を失念したり、悪癖が出てミスショットすることが多くなる。
【０００８】
スイングの基本動作などを習得するために、各種のレッスン書を読破したり、ビデオテープによるスイングチェック、シングルプレーヤーと称される上級者又はティーチングプロによるレクチュアーなどを受けても、基本動作の習得は容易でなく、したがってゴルフの技量は簡単に上達しないとされている。
【０００９】
ゴルフを上達するための各種器具が数多く提案されており、例えば、特開２０００−１４０１８１には、ゴルフスイングにおいて、バックスイングでは、肩を深く回し身体の正面から両腕を外さない、スイング中は両脇を締め、身体の回転をつかってフィニッシュまで振り切る、ゴルフスイング矯正具が開示されている。
【００１０】
これは、左右の上腕に把持部を巻き付け、右把持部を左肩に付く左固定部にベルトでつなぎ、左把持部も右肩に付く右固定部にベルトでつなぐ、構成になっている。  
【００１１】
また特開２００１−２４６０３６は、ゴルフスウィング練習装置として、ゴルフスウィング時、正確で正しい姿勢矯正がなされるようにしたもので、スウィング練習装置を成す各構成要素をスウィング練習時に矯正許容範囲内で身体の各部位の位置変動に従って変動位置全範囲にわたって変異速度に関係なく瞬間的な動きにもスウィング練習者に直接的な抵抗要素が発生せず順応、及び調和をなし得るように構成されている。    
【特許文献１】特開２０００−１４０１８１号公報
【特許文献２】特開２００１−２４６０３６号公報
【発明の開示】
【発明が解決しようとする課題】
【００１２】
しかしながら上記、特許文献１によると、両肩と両肘を両把持部とベルトを用いて、たすき状に拘束しているので、両肩の円滑な回転運動が阻害されまた、上半身が硬直した姿勢でアドレスされ、バックスイング、トップオブスイング、ダウンスイング、インパクト、フォロースルーそしてフィニッシュまでの一連の動作が、滑らかさのないぎこちないスイングとなり、スイング矯正具としては、課題があると言わざるを得ない。  
【００１３】
特許文献２は、矯正目的が多岐にわたっているために、その目的が正確に把握されないという欠点があり、また部品点数が多量となりかつ、構成部材も多数であり、装置全体が大規模となっているので、携行することは不可能で、自宅の庭、公園の一角などでの練習には適さないし、制作コストも高価になるという欠点もある。
【００１４】
本発明は、上記の従来技術における諸課題を解決するもので、ゴルフの初心者や中級者が犯しやすい手と体（腕と胴体）の動きが一体化していないゴルフスイング、いわゆる「手打ち」の悪癖を出させない、ゴルフ用スイング矯正具の提供を目的としている。
【課題を解決するための手段】
【００１５】
請求項１に係る、ゴルフ用スイング矯正具は、外周面又は内周面に、係合孔を穿設した取付片を立設し、一側又は両側端部には取付手段を形成した、正面視略矩形状の硬質板状体と、前記板状体の一側又は両側端部の取付手段を介して取け付けられる、止着具付きの巻装帯と、一端側を、内側に向けて鈎状に屈曲して係止部を形成し、該係止部から他端側にかけて円弧状を形成する棒状ガイドと、上端部に挿通穴を形成すると共に、下部には長さ調整手段を設けた間隔保持具と、からなることを、特徴としている。
【００１６】
請求項２は、請求項１記載のゴルフ用スイング矯正具において、前記板状体、取付片、棒状ガイドおよび間隔保持具などの素材が、鉄、アルミニューム又は硬質の合成樹脂材からなることを、特徴としている。
【００１７】
請求項３は、請求項１ないし請求項２記載のゴルフ用スイング矯正具において、前記
板状体は、内周面に沿って緩やかに湾曲していることを特徴としている。
【００１８】
請求項４は、請求項１ないし請求項３記載のゴルフ用スイング矯正具において、前記巻装帯の長さは、止着具の変位により自由に設定可能であることを、特徴ととしている。
【００１９】
請求項５は、請求項１ないし請求項３記載のゴルフ用スイング矯正具において、前記長さ調整手段が、間隔保持具の下部に形成されたドリルねじであるか又は、ゴルフクラブのグリップに被冠する嵌装体であることを、特徴としている。
【００２０】
請求項６は、請求項１ないし請求項３記載のゴルフ用スイング矯正具において、前記板状体の外周面中心部に、間隔保持具の上端部方向を示す、目印が表示されていることを、特徴としている。
【発明の効果】
【００２１】
本発明に係る、ゴルフ用スイング矯正具は、以下の効果を奏する。請求項１によれば、ゴルフスイングの基本動作（基礎技術）の一つである、いわゆる時計の振り子運動が体得できる。即ち、板状体は、巻装帯を介してスイング練習者の腹部に装着され、該板状体に取り付けられた棒状ガイドには、クラブのグリップエンドに立設された間隔保持具の挿通穴が摺動可能に掛吊され、スイング練習者は、アドレス時のクラブのグリップエンド（間隔保持具）を体の中心（腹部のへそ）に向けたまま、バックスイングを始動させ、右手のコック（右打ち）が開始される右腰とインパクトからフォロースルー途中の左腰までの約１８０度間を時計の振り子のよう、手と体（腕と胴体）の動きが一体化してスイングすることになり、これを繰り返し反復練習して「手打ち」などの悪癖を矯正すると共に、正しいスイングフォームが体得できる。また板状体の左右の位置を逆転すれば、スイング練習者がレフティー（左打ち）でも使用が可能である。
【００２２】
請求項２の発明にによれば、板状体、取付片、ガイド棒および間隔保持具などは同一の素材で制作が可能で、部品点数も少ないので制作コストが安価となり、かつ軽量であるために携行と装着に利便性があり、自宅の庭、公園の一角など狭いスペース内での、スイング練習ができるなどの効果も有する。
【００２３】
請求項３の発明によれば、板状体は、内周面に沿って緩やかに湾曲しているいるので、巻装帯による腹部への装着が簡便にできまた、違和感なく使用できる。
【００２４】
請求項４の発明によれば、巻装帯の長さは、止着具の変位により自由に設定可能であるために、子供から大人、男女を問わず装着して使用することが可能である。
【００２５】
請求項５の発明によれば、間隔保持具の長さ調整手段が、その下部に形成されたドリルねじであるか又は、ゴルフクラブのグリップに被冠する嵌装体であるために、スイング練習者が自己の身長、リーチなどに適合する長さのクラブにかつ、間隔保持具の長さそのものも簡単に調整して使用することができる。
【００２６】
請求項６の発明にによれば、板状体の外周面中心部に、間隔保持具の端部方向を示す目印が表示されているので、アドレス時にグリップエンドが体の中心（へそ）を向いていることをイメージできると共に、バックスイングの中途においても常に、これをイメージし続けることができる。
【発明を実施するための最良の形態】
【００２７】
以下、添付の図面に基づいて、その実施形態について説明する。図１は、本発明に係る
ゴルフ用スイング矯正具（以下、矯正具Ｔ１という）の主な構成部材を分離した状態の斜視図で、図２は該構成部材を組み立て、矯正具Ｔ１をスイング練習者（以下、練習者Ｐという）の腹部に装着した状態の正面図、図３はその側面図、図４は矯正具Ｔ１の使用態様および振り子運動の説明図、図５は矯正具Ｔ１の他の実施態様を示す斜視図である。
【００２８】
矯正具Ｔ１は、図１などに示すように、正面視略矩形状の鉄製の板状体１と該板状体１の両側端部に取り付けられる巻装帯２、板状体１の左側部（練習者Ｐの左腰部）に回動可能に掛吊された鉄製の棒状ガイド３、該棒状ガイド３に挿通される間隔保持具４を主な構成部材としている。  
【００２９】
板状体１は、長辺が約２０ｃｍ、短辺が約１０ｃｍの矩形状をなし、内周面１ａにそって緩やかに湾曲し、外周面１ｂの両側端部には、非伸縮性素材からなる巻装帯２の一端２ａを挿通し固定させる、左右のスリット１ｃ、１ｃが形成されると共に、左スリット１ｃの中心よりには、係合孔１ｄを穿設した取付片１ｅの底面が溶着されており、板状体１の中心点には、目印１ｆが表示されている。
【００３０】
巻装帯２の一端２ａおよび他端２ｂには、例えば面ファスナーなどの止着具２ｃが設けられており、矯正具Ｔ１の不使用時、一端２ａは、板状体１に設けられた左右のスリット１ｃにそれぞれ挿通され、止着具２ｃで固定した状態になっている。
【００３１】
棒状ガイド３は、全体を略円弧状に形成され、その一端側は、内側に向けて鈎状に屈曲されて水平状の係止部３ａを形成し、該係止部３ａは、板状体１に立設された取付片１ｅの係合孔１ｄに挿入され、該係合孔１ｄからの抜け落ちを防ぐためのストッパーとして、ナット３ｂ、３ｂで取付片１ｅを挟むようにしてそれぞれを係止部３ａに溶着し、該係止部３ａは上下に回動自在に掛吊されている。
【００３２】
間隔保持具４は、クラブＫのグリップＧエンド（上端）と棒状ガイド３との間隔を調整して保持するためのものであり、鉄製丸棒の上端部を曲成して、前記棒状ガイド３に挿入する挿通穴４ａを形成すると共に、下部には使用クラブＫのグリップに捻じ込むためのドリルねじ４ｂが螺設されている。なお、間隔保持具４は、全体寸法が異なる複数長さのもの例えば、約５ｃｍ、約６．５ｃｍ、および約８ｃｍなどが制作され、練習者Ｐの身長、リーチ又は練習クラブＫの種類などで、選択可能とされている。
【００３３】
図２および図３は、練習者Ｐが矯正具Ｔ１を装着した状態を示し、練習者Ｐは、板状体１の目印１ｆを腹部のへそに当接させ、巻装帯２を左右の腰部に巻回し、板状体１が脱落しないように緊締して他端２ｂに設けた止着具２ｃで固定する。
【００３４】
つぎに、予めクラブＫのグリップＧに捻じ込まれた間隔保持具４の挿通穴４ａを、棒状ガイド３の他端３ｃから挿入させ、棒状ガイド３のほぼ中間点３ｄで保持されている。
【００３５】
ゴルフスイングにおいて、いわゆる時計の振り子運動を完全に体得すれば、その技量は上級の段階に達した、と言われるくらい最も重要な基礎技術の一つであるが、振り子運動は、図４に示すように、練習者ＰがクラブＫをアドレスした位置Ａからバックスイングを始動させ、右手のコック（右打ち）が開始される右腰Ｒの水平位置Ｂとクラブフェースでボールをインパクトした後、フォロースルー途中の左腰Ｌの水平位置Ｃまでの約１８０度間をクラブＫのグリップＧを支点とし、かつ間隔保持具４の上端を体の中心（へそ）に向けたまま、クラブＫを時計の振り子のように手と体（腕と胴体）の動きを一体化して揺動（スイング）することである。
【００３６】
矯正具Ｔ１を装着した練習者Ｐは、クラブＫのグリップエンド（間隔保持具４）を板状体１の目印１ｆに向けたまま、クラブＫのバックスイングを始動させ、両肩、両腕とグリップで形成される三角形を崩さないで順次、棒状ガイド３に沿って摺動させるようにゆっくりと引き上げ、右腰Ｒの水平位置Ｂで右手のコック（右打ち）を開始すれば、間隔保持具４の挿通穴４ａは棒状ガイド３の他端３Ｃから解放され、クラブＫはトップオブスイング、ダウンスイング、インパクト、フォロースルーそしてフィニッシュまでの一連のスイングが円滑に行われ、これを繰り返し反復練習すれば、ゴルフスイングの最も重要な基礎技術である、振り子運動を体得することができる。
【００３７】
図５は、矯正具Ｔ１の他の実施形態である矯正具Ｔ２を示すもので、板状体１０は、硬質の合成樹脂材例えば、ＦＲＰなどを素材として、押型成型法などにより取付片１０ｅ、取付手段１０ｃなどと共に一体的に制作され、取付片１０ｅは目印１０ｆの左近傍に立設されており、同一素材でなる棒状ガイド３０の係止部３０ａは、取付片１０ｅの係合孔１０ｄに挿入され、該係合孔１０ｄからの抜け落ちを防ぐためのストッパーとして割ピン３０ｂ、３０ｂで取付片１０ｅを挟むようにそれぞれ止着しているので、係止部３０ａは、上下に回動自在に掛吊されている。
【００３８】
間隔保持具４０は、棒状ガイド３０と同じ素材よりなり、上端部には挿通穴４０ａが形成され、下部には、長さ調整手段として、クラブＫのグリップＧに被冠する、弾性素材例えば生ゴムなどで制作された嵌装体４０ｂが接着剤などによって固着されている。
【００３９】
非伸縮性素材例えば、綿布又は帆布などからなる巻装帯２０の一端２０ａは、板状体１０の左側取付手段１０ｃに固定され、他端２０ａには面ファスナー等の止着具２０ｃが縫着されていて、矯正具Ｔ２を使用するときは、他端２０ａを右側取付手段１０ｃに挿通し、これを後方に折り返して、練習者Ｐの腹胴部寸法に適合する部位で止着、固定される。なお、取付片１０ｅは、内周面１０ａの適宜部位に立設することも可能である。
【００４０】
練習者Ｐは、練習したいクラブＫのグリップＧに予め、嵌装体４０ｂを圧入し間隔保持具４０の長さを調整してから、矯正具Ｔ１と同様に図４に示すような振り子運動を基礎としたスイングの反復練習を繰り返し、「手打ち」など悪癖の矯正と手と体（腕と胴体）の動きが一体化した、ゴルフスイングを体得することができる。
【産業上の利用可能性】
【００４１】
本発明に係る、ゴルフ用スイング矯正具は、ゴルフを始めたゴルフ初心者はもとより技量の上達に伸び悩む中級者に、簡便で廉価な矯正具Ｔ１又はＴ２を提供することができるので、不況のゴルフ界に活気と光明をもたらす可能性が大である。
【図面の簡単な説明】
【００４２】
【図１】本発明に係る、矯正具Ｔ１の主な構成部材を分離した状態の斜視図である。
【図２】矯正具Ｔ１を練習者Ｐの腹部に装着した状態の正面図である。
【図３】同その側面図である。
【図４】矯正具Ｔ１の使用態様および振り子運動の説明図である。
【図５】矯正具Ｔ１の他の実施態様を示す斜視図である。
【符号の説明】
【００４３】
Ｐ                       練習者
Ｔ１、Ｔ２               矯正具
１、１０                 板状体
２、２０                 巻装帯
３、３０                 棒状ガイド
４、４０                 間隔保持具
１ａ、１０ａ             内周面
１ｂ、１０ｂ             外周面
１ｄ、１０ｄ             係合孔
１ｅ、１０ｅ             取付片
１ｃ                     スリット
１０ｃ                   取付手段
２ｃ、２０ｃ             止着具
３ａ、３０ａ             係止部
４ａ、４０ａ             挿通穴
４ｂ                     ドリルねじ
４０ｂ                   嵌装体
１ｆ                     目印
【図１】
2005278830.tif 000003
【図２】
2005278830.tif 000004
【図３】
2005278830.tif 000005
【図４】
2005278830.tif 000006
【図５】
2005278830.tif 000007